(57)【特許請求の範囲】
【請求項１】
アクセスポイントを介してネットワークに接続する無線端末における通信を、当該アクセスポイントに帰属する無線端末のうち通話中の無線端末の数に応じて制限する通信制御装置であって、
前記無線端末のＩＰアドレス及びＭＡＣアドレスを対応付けて特定する計数情報を記憶する記憶部と、制御部と、を備え、
前記制御部は、
前記ネットワークに接続されたＳＩＰサーバより通話中の無線端末のＩＰアドレスを特定したセッション情報を取得する処理と、
前記アクセスポイントより当該アクセスポイントに帰属している無線端末のＭＡＣアドレスを特定した帰属情報を取得する処理と、
前記セッション情報で特定されているＩＰアドレスのうち、前記計数情報に含まれる前記無線端末のＩＰアドレスを特定し、特定した前記無線端末のＩＰアドレスに対応づけられた前記計数情報のＭＡＣアドレスを前記計数情報により特定し、特定した前記計数情報のＭＡＣアドレスを有する無線端末が帰属するアクセスポイントを前記帰属情報で特定されているＭＡＣアドレスを用いて特定することにより、アクセスポイント毎に、当該アクセスポイントに帰属している無線端末のうち通話中の無線端末の数を算出する処理と、
を行うことを特徴とする通信制御装置。
【請求項２】
請求項１に記載の通信制御装置であって、
前記制御部は、
前記通話中の無線端末の数が予め定められた第一のしきい値を超える場合には、当該第一のしきい値を超える前記通話中の無線端末の数が算出されたアクセスポイントを介して新たに発呼又は着呼するメッセージを取得して、前記ＳＩＰサーバが受信しないようにすること、
を特徴とする通信制御装置。
【請求項３】
請求項２に記載の通信制御装置であって、
前記制御部は、
前記通話中の無線端末の数が予め定められた第二のしきい値を超える場合には、当該第二のしきい値を超える前記通話中の無線端末の数が算出されたアクセスポイントを介して通信を行っている前記無線端末の接続を切断する処理を行うこと、
を特徴とする通信制御装置。
【請求項４】
請求項３に記載の通信制御装置であって、
前記第二のしきい値は、前記第一のしきい値より大きな数であること、
を特徴とする通信制御装置。
【請求項５】
請求項３又は４に記載の通信制御装置であって、
前記制御部は、
前記無線端末と、前記無線端末が通信を行っている相手方の端末と、にＳＩＰに従って通信を切断するメッセージを送信することで、接続を切断すること、
を特徴とする通信制御装置。
【請求項６】
請求項１乃至５の何れか一項に記載の通信制御装置であって、
前記アクセスポイントは、ＤＨＣＰサーバに接続されており、前記無線端末は、当該ＤＨＣＰサーバよりＩＰアドレスを取得するようにされており、
前記制御部は、前記無線端末がＩＰアドレスをＤＨＣＰサーバよりＩＰアドレスを取得する際の通信データから前記無線端末のＭＡＣアドレスと、ＩＰアドレスと、を取得して、前記計数情報として前記記憶部に記憶すること、
を特徴とする通信制御装置。
【請求項７】
アクセスポイントを介してネットワークに接続する無線端末における通信を、当該アクセスポイントに帰属する無線端末のうち通話中の無線端末の数に応じて制限するＳＩＰサーバであって、
前記無線端末のＩＰアドレス及びＭＡＣアドレスを対応付けて特定する計数情報を記憶する記憶部と、制御部と、を備え、
前記制御部は、
通話中の無線端末のＩＰアドレスを特定したセッション情報を取得する処理と、
前記アクセスポイントより当該アクセスポイントに帰属している無線端末のＭＡＣアドレスを特定した帰属情報を取得する処理と、
前記セッション情報で特定されているＩＰアドレスのうち、前記計数情報に含まれる前記無線端末のＩＰアドレスを特定し、特定した前記無線端末のＩＰアドレスに対応づけられた前記計数情報のＭＡＣアドレスを前記計数情報により特定し、特定した前記計数情報のＭＡＣアドレスを有する無線端末が帰属するアクセスポイントを前記帰属情報で特定されているＭＡＣアドレスを用いて特定することにより、アクセスポイント毎に、当該アクセスポイントに帰属している無線端末のうち通話中の無線端末の数を算出する処理と、
を行うことを特徴とするＳＩＰサーバ。
【請求項８】
請求項７に記載のＳＩＰサーバであって、
前記制御部は、
前記通話中の無線端末の数が予め定められた第一のしきい値を超える場合には、当該第一のしきい値を超える前記通話中の無線端末の数が算出されたアクセスポイントを介して新たに発呼又は着呼するメッセージに対して応答メッセージを送信しないこと、
を特徴とするＳＩＰサーバ。
【請求項９】
請求項８に記載のＳＩＰサーバであって、
前記制御部は、
前記通話中の無線端末の数が予め定められた第二のしきい値を超える場合には、当該第二のしきい値を超える前記通話中の無線端末の数が算出されたアクセスポイントを介して通信を行っている前記無線端末の接続を切断する処理を行うこと、
を特徴とするＳＩＰサーバ。
【請求項１０】
請求項９に記載のＳＩＰサーバであって、
前記第二のしきい値は、前記第一のしきい値より大きな数であること、
を特徴とするＳＩＰサーバ。
【請求項１１】
請求項９又は１０に記載のＳＩＰサーバであって、
前記制御部は、
前記無線端末と、前記無線端末が通信を行っている相手方の端末と、にＳＩＰに従って通信を切断するメッセージを送信することで、接続を切断すること、
を特徴とするＳＩＰサーバ。
【請求項１２】
請求項７乃至１１の何れか一項に記載のＳＩＰサーバであって、
前記アクセスポイントは、ＤＨＣＰサーバに接続されており、前記無線端末は、当該ＤＨＣＰサーバよりＩＰアドレスを取得するようにされており、
前記制御部は、前記無線端末がＩＰアドレスをＤＨＣＰサーバよりＩＰアドレスを取得する際の通信データから前記無線端末のＭＡＣアドレスと、ＩＰアドレスと、を取得して、前記計数情報として前記記憶部に記憶すること、
を特徴とするＳＩＰサーバ。
【請求項１３】
アクセスポイントと、当該アクセスポイントを介してネットワークに接続する無線端末と、当該無線端末における通信を、当該アクセスポイントに帰属する無線端末のうち通話中の無線端末の数に応じて制限する通信制御装置と、を備える通信システムであって、
前記通信制御装置は、前記無線端末のＩＰアドレス及びＭＡＣアドレスを対応付けて特定する計数情報を記憶する記憶部と、制御部と、を備え、
前記制御部は、
前記ネットワークに接続されたＳＩＰサーバより通話中の無線端末のＩＰアドレスを特定したセッション情報を取得する処理と、
前記アクセスポイントより当該アクセスポイントに帰属している無線端末のＭＡＣアドレスを特定した帰属情報を取得する処理と、
前記セッション情報で特定されているＩＰアドレスのうち、前記計数情報に含まれる前記無線端末のＩＰアドレスを特定し、特定した前記無線端末のＩＰアドレスに対応づけられた前記計数情報のＭＡＣアドレスを前記計数情報により特定し、特定した前記計数情報のＭＡＣアドレスを有する無線端末が帰属するアクセスポイントを前記帰属情報で特定されているＭＡＣアドレスを用いて特定することにより、アクセスポイント毎に、当該アクセスポイントに帰属している無線端末のうち通話中の無線端末の数を算出する処理と、
を行うことを特徴とする通信システム。
【請求項１４】
アクセスポイントと、当該アクセスポイントを介してネットワークに接続する無線端末と、当該無線端末における通信を、当該アクセスポイントに帰属する無線端末のうち通話中の無線端末の数に応じて制限するＳＩＰサーバと、を備える通信システムであって、
前記通信システムは、前記無線端末のＩＰアドレス及びＭＡＣアドレスを対応付けて特定する計数情報を記憶する記憶部と、制御部と、を備え、
前記制御部は、
通話中の無線端末のＩＰアドレスを特定したセッション情報を取得する処理と、
前記アクセスポイントより当該アクセスポイントに帰属している無線端末のＭＡＣアドレスを特定した帰属情報を取得する処理と、
前記セッション情報で特定されているＩＰアドレスのうち、前記計数情報に含まれる前記無線端末のＩＰアドレスを特定し、特定した前記無線端末のＩＰアドレスに対応づけられた前記計数情報のＭＡＣアドレスを前記計数情報により特定し、特定した前記計数情報のＭＡＣアドレスを有する無線端末が帰属するアクセスポイントを前記帰属情報で特定されているＭＡＣアドレスを用いて特定することにより、アクセスポイント毎に、当該アクセスポイントに帰属している無線端末のうち通話中の無線端末の数を算出する処理と、
を行うことを特徴とする通信システム。
【請求項１５】
アクセスポイントと、当該アクセスポイントを介してネットワークに接続する無線端末と、当該無線端末における通信を、当該アクセスポイントに帰属する無線端末のうち通話中の無線端末の数に応じて制限する通信制御装置と、を備える通信システムが行う通信制御方法であって、
前記通信制御装置は、前記無線端末のＩＰアドレス及びＭＡＣアドレスを対応付けて特定する計数情報を記憶する記憶部と、制御部と、を備え、
前記制御部が、前記ネットワークに接続されたＳＩＰサーバより通話中の無線端末のＩＰアドレスを特定したセッション情報を取得する処理を行う過程と、
前記制御部が、前記アクセスポイントより当該アクセスポイントに帰属している無線端末のＭＡＣアドレスを特定した帰属情報を取得する処理を行う過程と、
前記制御部が、前記セッション情報で特定されているＩＰアドレスのうち、前記計数情報に含まれる前記無線端末のＩＰアドレスを特定し、特定した前記無線端末のＩＰアドレスに対応づけられた前記計数情報のＭＡＣアドレスを前記計数情報により特定し、特定した前記計数情報のＭＡＣアドレスを有する無線端末が帰属するアクセスポイントを前記帰属情報で特定されているＭＡＣアドレスを用いて特定することにより、アクセスポイント毎に、当該アクセスポイントに帰属している無線端末のうち通話中の無線端末の数を算出する処理と、
を備えることを特徴とする通信制御方法。
【請求項１６】
アクセスポイントと、当該アクセスポイントを介してネットワークに接続する無線端末と、当該無線端末における通信を、当該アクセスポイントに帰属する無線端末のうち通話中の無線端末の数に応じて制限するＳＩＰサーバと、を備える通信システムが行う通信制御方法であって、
前記通信システムは、前記無線端末のＩＰアドレス及びＭＡＣアドレスを対応付けて特定する計数情報を記憶する記憶部と、制御部と、を備え、
前記制御部が、通話中の無線端末のＩＰアドレスを特定したセッション情報を取得する処理を行う過程と、
前記制御部が、前記アクセスポイントより当該アクセスポイントに帰属している無線端末のＭＡＣアドレスを特定した帰属情報を取得する処理を行う過程と、
前記制御部が、前記セッション情報で特定されているＩＰアドレスのうち、前記計数情報に含まれる前記無線端末のＩＰアドレスを特定し、特定した前記無線端末のＩＰアドレスに対応づけられた前記計数情報のＭＡＣアドレスを前記計数情報により特定し、特定した前記計数情報のＭＡＣアドレスを有する無線端末が帰属するアクセスポイントを前記帰属情報で特定されているＭＡＣアドレスを用いて特定することにより、アクセスポイント毎に、当該アクセスポイントに帰属している無線端末のうち通話中の無線端末の数を算出する過程と、
を備えることを特徴とする通信制御方法。
【発明の詳細な説明】
【技術分野】
【０００１】
本発明は、アクセスポイントを介して、ネットワークに接続する無線端末における通信を制限する技術に関する。
【背景技術】
【０００２】
無線ネットワークと、有線ネットワークと、を中継するアクセスポイント（以下、ＡＰという）を用いて、無線端末から有線ネットワークに接続する技術が用いられている。
【０００３】
このようなＡＰに多数の無線端末が接続しＡＰへの負荷が大きくなると、無線帯域が不足して伝送誤りや遅延といった通信エラーが発生する。
【０００４】
このような通信負荷に対する対策として、ＡＰにおいて、自装置の負荷が大きくなると、負荷の小さな他のＡＰに無線端末の接続を切り替えることにより負荷分散を行う技術が知られている（例えば、特許文献１、特許文献２参照）。
【０００５】
【特許文献１】特開２００４−３５００５２号公報
【特許文献２】特開２００６−３０４０８５号公報
【発明の開示】
【発明が解決しようとする課題】
【０００６】
上述のように、ＡＰにおいて無線端末の接続を切り替えて、負荷分散を行う場合には、有線ネットワークに接続する全てのＡＰを、負荷分散処理を行うことのできるものにしなければならず、多大な導入費用がかかるとともに、ＡＰ等の保守管理負担がかかり不便であった。
【０００７】
そこで、本発明は、簡便な方法で通信負荷を軽減する技術を提供することを目的とする。
【課題を解決するための手段】
【０００８】
以上の課題を解決するため、本発明は、ＳＩＰサーバより通話中の無線端末のＩＰアドレスを特定したセッション情報を取得し、ＡＰより当該ＡＰに帰属している無線端末のＭＡＣアドレスを特定した帰属情報を取得することで、ＡＰに帰属している無線端末のうち、通話中の無線端末の数を特定して、当該数に応じて通信を制限する技術を提供する。
【０００９】
例えば、本発明は、アクセスポイントを介してネットワークに接続する無線端末における通信を、当該アクセスポイントに帰属する無線端末のうち通話中の無線端末の数に応じて制限する通信制御装置であって、前記無線端末のＩＰアドレス及びＭＡＣアドレスを特定する計数情報を記憶する記憶部と、制御部と、を備え、前記制御部は、前記ネットワークに接続されたＳＩＰサーバより通話中の無線端末のＩＰアドレスを特定したセッション情報を取得する処理と、前記アクセスポイントより当該アクセスポイントに帰属している無線端末のＭＡＣアドレスを特定した帰属情報を取得する処理と、前記セッション情報で特定されているＩＰアドレスに対応するＭＡＣアドレスを前記計数情報で特定し、特定したＭＡＣアドレスを有する無線端末が帰属するアクセスポイントを前記帰属情報で特定することにより、アクセスポイント毎に当該アクセスポイントに帰属している無線端末のうち、通話中の無線端末の数を算出する処理と、を行うことを特徴とする。
【発明の効果】
【００１０】
以上のように、本発明によれば、簡便な方法で通信負荷を軽減する技術を提供することができる。
【発明を実施するための最良の形態】
【００１１】
図１は、本発明の第一の実施形態である通信システム１００の概略図である。
【００１２】
図示するように、通信システム１００は、無線端末１１０と、ＡＰ１２０と、ＳＩＰ（Session Initiation Protocol）サーバ１３０と、ＤＨＣＰ（Dynamic Host Configuration Protocol）サーバ１４０と、通信制御装置１５０と、を備える。
【００１３】
そして、無線端末１００及びＡＰ１２０は、電磁波等の無線を介して相互に情報の送受信を行うことができるようにされており、ＡＰ１２０、ＳＩＰサーバ１３０、ＤＨＣＰサーバ１４０及び通信制御装置１５０は、ＬＡＮ（Local Area Network）１８０を介して相互に情報の送受信を行うことができるようにされている。
【００１４】
また、ＬＡＮ１８０には、ルータ１７０が接続されており、無線端末１１０は、ＡＰ１２０を介して、ルータ１７０経由でＷＡＮ（Wide Area Network）１８１に接続することができるようにされている。
【００１５】
無線端末１１０は、無線を介して音声情報を送受信することができる端末である。ここで、無線端末１１０は、ＳＩＰによる発着呼を行うことができる公知のものを使用すればよいため、詳細な説明は省略する。
【００１６】
但し、本実施形態では、ＳＩＰサーバ１３０のアドレスの代わりに通信制御装置１５０のアドレスを登録しておくことで、ＳＩＰに従ったメッセージは、通信制御装置１５０に送信される。
【００１７】
図２は、ＡＰ１２０の概略図である。
【００１８】
図示するように、ＡＰ１２０は、無線通信部１２１と、制御部１２２と、記憶部１２５と、有線通信部１２７と、を備える。
【００１９】
無線通信部１２１は、アンテナ１２８を介して送受信を行う無線信号を処理する。
【００２０】
具体的には、アンテナ１２８を介して送受信を行う無線信号の変調及び復調処理を行うＲＦ（Radio Frequency）処理、ベースバンド信号の変調及び復調を行うベースバンド信号処理、物理層の上位のデータリンク層においてフレームの送受信方法やフレームの形式及び誤り検出方法等を規定するＭＡＣ（Media Access Control）プロトコルに従ったＭＡＣ処理、を行う。
【００２１】
制御部１２２は、通信処理部１２３と、帰属情報管理部１２４と、を備える。
【００２２】
通信処理部１２３は、ＡＰ１２０全体の処理を制御する。特に、無線通信部１２１で受信したデータを有線通信部１２６に転送し、また、有線通信部１２６で受信したデータを無線通信部１２１に転送する処理を制御する。
【００２３】
また、本実施形態においては、通信処理部１２３は、有線通信部１２７を介して、後述する通信制御装置１５０から帰属情報の取得要求を受信すると、帰属情報管理部１２４を介して、記憶部１２５に記憶されている帰属情報を取得して、通信制御装置１５０に返信する。
【００２４】
帰属情報管理部１２４は、予め定められた接続要求に対して、予め定められた認証を行い、接続許可を与えた（自装置に帰属する）無線端末１１０を管理するための帰属情報を管理する処理を行う。
【００２５】
本実施形態においては、接続する許可を与えた無線端末１１０を識別するための識別情報（ここでは、ＭＡＣアドレス）を後述する記憶部１２５の帰属情報記憶領域１２６に記憶されている帰属情報に格納する処理を行う。
【００２６】
また、帰属情報管理部１２４は、電源断やハンドオーバ等によって、自装置の帰属から外れた無線端末１１０を識別する情報を帰属情報から削除する処理を行う。
【００２７】
さらに、帰属情報管理部１２４は、通信処理部１２３の要求に応じて、記憶部１２５の帰属情報記憶領域１２６に記憶されている帰属情報を通信処理部１２３に出力する処理を行う。
【００２８】
記憶部１２５は、帰属情報記憶領域１２６を備える。
【００２９】
帰属情報記憶領域１２６には、ＡＰ１２０に帰属する無線端末１１０を識別するための識別情報を格納した帰属情報が記憶される。
【００３０】
ここで、帰属情報については、各ＡＰ１２０に帰属する無線端末１１０を識別するための識別情報を格納することのできるものであれば、どのようなデータ形式でもよいが、例えば、本実施形態では、ＡＰ１２０に帰属する無線端末１１０のＭＡＣアドレスを一覧にしたテーブル形式にされている。
【００３１】
有線通信部１２７は、ＬＡＮケーブル等の有線を介して情報の送受信を行う。
【００３２】
図３は、ＳＩＰサーバ１３０の概略図である。
【００３３】
図示するように、ＳＩＰサーバ１３０は、記憶部１３１と、制御部１３４と、通信部１３７と、を備える。
【００３４】
記憶部１３１は、登録情報記憶領域１３２と、セッション情報記憶領域１３３と、を備える。
【００３５】
登録情報記憶領域１３２には、ＳＩＰサーバ１３０でＳＩＰに従った呼制御を行うために必要な情報、例えば、無線端末１１０のＩＰアドレス等の情報が記憶される。
【００３６】
セッション情報記憶領域１３３には、無線端末１１０におけるセッションの状態を特定する情報が格納される。
【００３７】
ここで、本実施形態においては、ＳＩＰサーバ１３０を介した呼制御を行い、通話中の無線端末１１０を特定する情報が格納される。例えば、本実施形態においては、ＳＩＰの呼制御により、接続先のＳＩＰ端末からＩＮＶＩＴＥメッセージに対する応答である２００ＯＫのメッセージを受信した無線端末１１０のＩＰアドレス、および、ＩＮＶＩＴＥメッセージに対する応答である２００ＯＫのメッセージを送信した無線端末１１０のＩＰアドレス、を一覧にしたテーブル情報であるセッション情報がセッション情報記憶領域１３３に記憶される。
【００３８】
そして、通話の終了を要求するＢＹＥメッセージがＳＩＰサーバ１３０を経由した際に、当該ＢＹＥメッセージの送受信先の無線端末１１０のＩＰアドレスはセッション情報から削除される。
【００３９】
制御部１３４は、通信制御部１３５と、呼制御部１３６と、を備える。
【００４０】
通信制御部１３５は、ＳＩＰサーバ１３０における全体的な処理を制御する。
【００４１】
例えば、通信制御部１３５は、通信部１３７を介して受信したＳＩＰメッセージを監視し、セッション情報記憶領域１３３に必要な情報を格納する処理を行う。
【００４２】
また、本実施形態においては、通信制御部１３５は、後述する通信制御装置１５０からセッション情報の取得要求を受信すると、セッション情報記憶領域１３３に記憶されているセッション情報を取得して、通信制御装置１５０に返信する処理を行う。
【００４３】
呼制御部１３６は、記憶部１３１の登録情報記憶領域１３２に記憶される情報を用いて、ＳＩＰに応じた呼制御処理を行う。
【００４４】
但し、本実施形態においては、ＳＩＰに従ったメッセージを通信制御装置１５０におくり、通信制御装置１５０から転送するようにしている。このため、ＳＩＰメッセージの宛先については、パケットのペイロード部分に格納して通信制御装置１５０に送信するようにする。
【００４５】
通信部１３７は、ＬＡＮ１８０を介して、情報の送受信を行う。
【００４６】
以上に記載したＳＩＰサーバ１３０については、いわゆるコンピュータにより実現可能である。例えば、記憶部１３１は、ハードディスク等の補助記憶装置をＣＰＵ（Central Processing Unit）が利用することにより実現可能であり、制御部１３４は、補助記憶装置等に記憶されている所定のプログラムをＣＰＵで実行することにより実現可能であり、通信部１３７は、ＮＩＣ（Network Interface Card）等をＣＰＵが利用することにより実現可能である。
【００４７】
図４は、通信制御装置１５０の概略図である。
【００４８】
図示するように、通信制御装置１５０は、記憶部１５１と、制御部１５４と、入力部１５７と、通信部１５８と、を備える。
【００４９】
記憶部１５１は、計数テーブル記憶領域１５２と、通信情報記憶領域１５３と、を備える。
【００５０】
計数テーブル記憶領域１５２には、各ＡＰ１２０に帰属している無線端末１１０のうち、通話中の無線端末１１０の数をＡＰ１２０毎に算出するために必要な情報（計数情報）が格納される。
【００５１】
例えば、本実施形態においては、計数テーブル記憶領域１５２には、図５（計数テーブル１５２ａの概略図）に示すような、計数テーブル１５２ａが格納される。
【００５２】
図示するように、計数テーブル１５２ａは、無線端末番号欄１５２ｂと、ＭＡＣアドレス欄１５２ｃと、ＩＰアドレス欄１５２ｄと、通話欄１５２ｅと、帰属欄１５２ｆと、通話状況欄１５２ｇと、を備える。
【００５３】
無線端末番号欄１５２ｂには、各無線端末１１０を一意に識別するための識別情報が格納される。ここで、本実施形態においては、各無線端末１１０を一意に識別するための識別情報として、「１」からの連番となる無線端末番号が各無線端末１１０に割り振られ、本欄に格納される。図５に示す例では、１〜Ｘ（Ｘは１以上の自然数）までの無線端末番号が、各無線端末１１０に割り振られている。
【００５４】
なお、以下の説明では、無線端末番号を示す記号として、「ＪＪ」なる記号を用いて説明する。「ＪＪ」は、１≦ＪＪ≦Ｘとなる自然数を示す。
【００５５】
ＭＡＣアドレス欄１５２ｃには、ＳＩＰサーバ１３０を介して呼制御を行う無線端末１１０のＭＡＣアドレスが格納される。
【００５６】
ここで、無線端末番号欄１５２ｂ及びＭＡＣアドレス欄１５２ｃに格納する情報については、通信制御装置１５０のオペレータが入力部１５７を介して予め格納しておく。
【００５７】
なお、以下の説明では、ＪＪ（１≦ＪＪ≦Ｘ）で識別される無線端末１１０のＭＡＣアドレスをＡＭＡＣ（ＪＪ）という記号で示す。
【００５８】
ＩＰアドレス欄１５２ｄには、ＭＡＣアドレス欄１５２ｃで特定される無線端末１１０に割り振られたＩＰアドレスが格納される。
【００５９】
なお、以下の説明では、ＪＪ（１≦ＪＪ≦Ｘ）で識別される無線端末１１０のＩＰアドレスをＡＩＰ（ＪＪ）という記号で示す。
【００６０】
通話欄１５２ｅには、ＭＡＣアドレス欄１５２ｃで特定される無線端末１１０が通話中であるか否かを特定する情報が格納される。ここで、本実施形態においては、当該無線端末１１０が通話中である場合には「１」の記号が本欄に格納され、通話中でない場合には「０」の記号が本欄に格納される。
【００６１】
なお、以下の説明では、ＪＪ（１≦ＪＪ≦Ｘ）で識別される無線端末１１０が通話中であるか否かについて、ＣＯＭ（ＪＪ）という記号で示す。
【００６２】
帰属欄１５２ｆには、ＭＡＣアドレス欄１５２ｃで特定される無線端末１１０が、特定のＡＰ１２０（後述する通信制御処理部１５６で計数を行っているＡＰ１２０）に帰属しているか否かを特定する情報が格納される。ここで、本実施形態においては、当該無線端末１１０が特定のＡＰ１２０に帰属している場合には「１」の記号が本欄に格納され、帰属していない場合には「０」の記号が本欄に格納される。
【００６３】
なお、以下の説明では、ＪＪ（１≦ＪＪ≦Ｘ）で識別される無線端末１１０が帰属しているか否かについて、ＴＦＬＡＧ（ＪＪ）という記号で示す。
【００６４】
通話状況欄１５２ｇには、ＭＡＣアドレス欄１５２ｃで特定される無線端末１１０が、各ＡＰ１２０に帰属しているか否か、および、通話時間の長さ、を特定する情報が格納される。
【００６５】
例えば、本実施形態においては、通話状況欄１５２ｇに、ＡＰ１２０毎の列が形成されている。例えば、列１５２ｈは、ＡＰ１２０毎に連番で割り振られているＡＰ番号「１」で一意に識別されるＡＰ１２０に関する情報が格納される列であり、列１５２ｉは、ＡＰ１２０毎に連番で割り振られているＡＰ番号「Ｙ（Ｙは１以上の自然数）」で一意に識別されるＡＰ１２０に関する情報が格納される列である。
【００６６】
そして、これらの列の、各無線端末１１０に対応する行に、「０」の数字が格納されている場合には、当該列で特定されるＡＰ１１０に当該無線端末１１０が帰属していないことを示し、「１」の数字が格納されている場合には、当該列で特定さえるＡＰ１１０に当該無線端末１１０が帰属してはいるが通話中ではないことを示し、「２」以上の数字が格納されている場合には、当該列で特定さえるＡＰ１１０に当該無線端末１１０が帰属しており、かつ、通話中であることを示す。なお、通話中の場合には、周期的に通話中であるか否かが後述する通信制御処理部１５６でチェックされ、チェック毎に連続して通話中である場合には、本欄の数字が「１」づつインクリメントされる。なお、通話が切断された場合には、「０」又は「１」に初期化される（ＡＰ１１０に帰属中は「１」、ＡＰ１１０に帰属もしていないときは「０」）。
【００６７】
なお、以下の説明では、ＪＪ（１≦ＪＪ≦Ｘ）で識別される無線端末１１０が、Ｍ（１≦Ｍ≦Ｙ）に帰属及び通話しているか否かについて、ＴＳＴＡＴ（Ｍ，ＪＪ）という記号で示す。
【００６８】
図４に戻り、通信情報記憶領域１５３には、ＡＰ１２０から取得した帰属情報と、ＳＩＰサーバ１３０から取得したセッション情報と、が記憶される。
【００６９】
制御部１５４は、全体制御部１５５と、通信制御処理部１５６と、を備える。
【００７０】
全体制御部１５５は、通信制御装置１５０における処理全般を制御する。
【００７１】
例えば、全体制御部１５５は、ＬＡＮ１８０を介して受信したＳＩＰに従ったメッセージのうち、通信制御装置１５０宛のメッセージについては、宛先のアドレスをＳＩＰサーバ１３０のものにして通信部１５８を介してＳＩＰサーバ１３０に転送する。
【００７２】
また、全体制御部１５５は、ＬＡＮ１８０を介して受信したＳＩＰに従ったメッセージのうち、ＳＩＰサーバ１３０から受信したメッセージについては、ペイロード部分から宛先のアドレスを抽出して、当該宛先のアドレスに通信部１５８を介して転送する。なお、この際、送信元のアドレスは、通信制御装置１５０のものにして転送する。
【００７３】
通信制御処理部１５６は、ＡＰ１２０毎に通話中の無線端末１１０の数を算出する。
【００７４】
また、通信制御処理部１５６は、算出したＡＰ１２０毎の通話中の無線端末１１０の数が予め定められた第一のしきい値を超えている場合には、しきい値を超えたＡＰ１２０に帰属している無線端末１１０からの発呼、および、無線端末１１０への着呼を停止する処理を行う。
【００７５】
さらに、通信制御処理部１５６は、算出したＡＰ１２０毎の通話中の無線端末１１０の数が予め定められた第二のしきい値を超えている場合には、通話中の無線端末１１０の内、任意の無線端末１１０の通話を強制的に切断する処理を行う。
【００７６】
なお、第二のしきい値及び第一のしきい値については、任意の数とすることができるが、例えば、第二のしきい値よりも第一のしきい値の方が小さな数となるようにすることで、新規の発着呼を停止した場合でも、これらの差分だけハンドオーバにより他のＡＰ１２０より無線端末１１０の帰属を受け付けることが可能となる。ここで、本実施形態では、第二のしきい値を「Ｎ」（Ｎは、３以上の自然数）、第一のしきい値を「Ｎ−２」としているがこのような態様に限定されるわけではない。
【００７７】
通信制御処理部１５６での具体的な処理については、後述するフローチャートを用いて詳細に説明する。
【００７８】
入力部１５７は、通信制御装置１５０のオペレータから情報の入力を受け付ける。
【００７９】
通信部１５８は、ＬＡＮ１８０を介して情報の送受信を行う。
【００８０】
以上に記載した通信制御装置１５０については、いわゆるコンピュータにより実現可能である。例えば、記憶部１５１は、ハードディスク等の補助記憶装置をＣＰＵが利用することにより実現可能であり、制御部１５４は、補助記憶装置等に記憶されている所定のプログラムをＣＰＵで実行することにより実現可能であり、入力部１５７は、マウスやキーボードをＣＰＵが利用することにより実現可能であり、通信部１５８は、ＮＩＣ等をＣＰＵが利用することにより実現可能である。
【００８１】
ＤＨＣＰサーバ１４０は、無線端末１１０にＬＡＮ１８０に接続するために必要な情報（例えば、ＩＰアドレス）を提供する。なお、ＤＨＣＰサーバ１４０については、公知のものを使用すればよいため、詳細な説明は省略する。
【００８２】
図６は、通信制御装置１５０における通信制御処理を示すフローチャートである。
【００８３】
まず、通信制御装置１５０の通信制御処理部１５６は、初期化処理を行う（Ｓ１０）。
【００８４】
この初期化処理では、通信制御処理部１５６は、入力部１５７を介して、ＡＰ１２０に帰属する可能性がある全ての無線端末１１０のＭＡＣアドレスの入力を受け付け、ＭＡＣアドレスの入力を受け付けた無線端末１１０の総数をＸとして、各無線端末１１０に１〜Ｘまでの通し番号を付与して、計数テーブル記憶領域１５２に格納されている計数テーブル１５２ａの無線端末番号欄１５２ｂ及びＭＡＣアドレス欄１５２ｃにそれぞれ格納する。
【００８５】
また、この初期化処理として、通信制御処理部１５６は、ＩＰアドレス欄１５２ｄの内容を全てクリア（削除）する。
【００８６】
次に、通信制御処理部１５６は、タイマを起動する（Ｓ１１）。
【００８７】
そして、通信制御処理部１５６は、通信部１５８を介してＬＡＮ１８０からＳＩＰサーバ１３０宛、または、またはＳＩＰサーバ１３０からＬＡＮ１８０へのパケットを受信した場合には（ステップＳ１２でＹＥＳ）、ステップＳ１３に進む。
【００８８】
ステップＳ１３では、通信制御処理部１５６は、ステップＳ１２で受信したパケットが、ＡＰ１２０とＳＩＰサーバ１３０間で送受信されるパケットであるか否かを確認する（Ｓ１３）。なお、ＡＰ１２０とＳＩＰサーバ１３０間で送受信されるパケットであるか否かは、宛先のＩＰアドレスで確認することができる。
【００８９】
そして、ステップＳ１２で受信したパケットが、ＡＰ１２０とＳＩＰサーバ１３０間で送受信されるパケットである場合には（ステップＳ１３でＹＥＳ）、ステップＳ１４に進み、ＡＰ１２０とＳＩＰサーバ１３０間で送受信されるパケットではない場合には（ステップＳ１３でＮＯ）、ステップＳ１５に進む。
【００９０】
ステップＳ１４では、通信制御処理部１５６は、発着呼制限処理を行う。なお、この処理については、図１１に示すフローチャートを用いて説明する。
【００９１】
ステップＳ１５では、通信制御処理部１５６は、ステップＳ１２で受信したパケットが、ＡＰ１２０からのＤＨＣＰ要求であるか否かを確認する。なお、ＡＰ１２０からのＤＨＣＰ要求であるか否かについては、ＤＨＣＰのプロトコルを解析すること（タブを解析すること）により確認することができる。
【００９２】
そして、ステップＳ１２で受信したパケットが、ＡＰ１２０からのＤＨＣＰ要求である場合には（ステップＳ１５でＹＥＳ）、ステップＳ１６に進み、ＡＰ１２０からのＤＨＣＰ要求ではない場合には（ステップＳ１５でＮＯ）、ステップＳ１７に進む。
【００９３】
ステップＳ１６では、通信制御処理部１５６は、ＤＨＣＰ要求解析処理を行う。なお、このＤＨＣＰ要求解析処理については、図７に示すフローチャートを用いて説明する。
【００９４】
一方、ステップＳ１７では、通信制御処理部１５６は、全体制御部１５５を介して、ステップＳ１２で受信したパケットの転送を行う。
【００９５】
そして、通信制御処理部１５６は、ステップＳ１１で起動したタイマが終了していない場合は（ステップＳ１８でＮＯ）、ステップＳ１２に戻り処理を繰り返し、ステップＳ１１で起動したタイマが終了している場合は（ステップＳ１８でＹＥＳ）、ステップＳ１９に進む。
【００９６】
ステップＳ１９では、通信制御処理部１５６は、セッション情報読込処理を行う。なお、セッション情報読込処理については、図８に示すフローチャートを用いて説明する。
【００９７】
そして、通信制御処理部１５６は、全体でＹ台あるＡＰ１２０の識別番号Ｍを初期化して「１」に設定する（Ｓ２０）。なお、ＡＰ１２０については、各々のＡＰ１２０を一意に識別するための識別番号として、１から連番でＹ（Ｙは１以上の自然数）まで識別番号が予め割り振られているものとする。
【００９８】
次に、通信制御処理部１５６は、帰属検査処理を行う（Ｓ２１）。帰属検査処理については、図９及び図１０に示すフローチャートを用いて説明する。
【００９９】
次に、通信制御処理部１５６は、ＡＰ１２０の識別番号Ｍに「１」をインクリメントし、ＭがＹ以下である場合には（ステップＳ２３でＮＯ）、ステップＳ２１に戻り処理を繰り返す。
【０１００】
そして、通信制御処理部１５６は、ＭがＹを超えた場合には（ステップＳ２３でＹＥＳ）、タイマを再度起動し（Ｓ２４）、ステップＳ１２に戻り処理を繰り返す。
【０１０１】
図７は、図６のステップＳ１６におけるＤＨＣＰ要求解析処理を示すフローチャートである。
【０１０２】
まず、通信制御処理部１５６は、新たにＩＰアドレスを取得した無線端末１１０がＡＰ１２０経由でブロードキャスト同報するＤＨＣＰ要求を傍受し、そのイーサネットヘッダ領域から、無線端末１１０のマックＭＡＣアドレスを取得してＭＡＣＡＤとし、そのＩＰヘッダ領域から、無線端末１１０のＩＰアドレスを取得してＩＰＡＤとする（Ｓ３０）。
【０１０３】
次に、通信制御処理部１５６は、無線端末１１０の無線端末番号を示す変数ＪＪを初期化して、「１」に設定する（Ｓ３１）。
【０１０４】
そして、通信制御処理部１５６は、ＩＰＡＤが複数の無線端末１１０に重複して割当てられるのを避けるために、計数テーブル１５２ａのＩＰアドレス欄１５２ｄに格納されているＩＰアドレスのうち、ＩＰＡＤと等しいＩＰアドレスを削除する。このため、まず、通信制御処理部１５６は、計数テーブル１５２ａのＩＰアドレス欄１５２ｄに格納されているＡＩＰ（ＪＪ）と、ＩＰＡＤと、を比較し（Ｓ３２）、一致する場合には（ステップＳ３２でＹＥＳ）、ステップＳ３３に進み、一致しない場合には（ステップＳ３２でＮＯ）、ステップＳ３４に進む。
【０１０５】
ステップＳ３３では、通信制御処理部１５６は、重複を避けるために、ＡＩＰ（ＪＪ）の値をクリアして、ステップＳ３４に進む。
【０１０６】
ステップＳ３４では、通信制御処理部１５６は、ＪＪの値に「１」をインクリメントする。
【０１０７】
そして、通信制御処理部１５６は、ＪＪの値と、無線端末１１０の総数Ｘと、を比較し（Ｓ３５）、ＪＪの値がＸ以下の場合には（ステップＳ３５でＮＯ）、ステップＳ３２に戻り処理を繰り返し、ＪＪの値がＸよりも大きい場合には（ステップＳ３５でＹＥＳ）、ステップＳ３６に進む。
【０１０８】
ステップＳ３６では、通信制御処理部１５６は、ＪＪの値を再び初期化して、「１」に設定する。
【０１０９】
次に、通信制御処理部１５６は、計数テーブル１５２ａのＭＡＣアドレス欄１５２ｃに格納されているＭＡＣアドレスであるＡＭＡＣ（ＪＪ）が、ＭＡＣＡＤと比較し（Ｓ３７）、これらが一致する場合には（ステップＳ３７でＹＥＳ）、ステップＳ３８に進み、これらが一致しない場合には（ステップＳ３７でＮＯ）、ステップＳ３９に進む。
【０１１０】
ステップＳ３８では、計数テーブル１５２ａのＩＰアドレス欄１５２ｄのうち、ＡＩＰ（ＪＪ）に対応する行にＩＰＡＤを格納する。
【０１１１】
一方、ステップＳ３９では、通信制御処理部１５６は、ＪＪの値に「１」をインクリメントする。
【０１１２】
そして、通信制御処理部１５６は、ＪＪの値と、無線端末１１０の総数Ｘと、を比較し（Ｓ４０）、ＪＪがＸ以下の場合には（ステップＳ４０でＮＯ）、ステップＳ３７に進み処理を繰り返し、ＪＪがＸよりも大きい場合には（ステップＳ４０でＹＥＳ）、ＤＨＣＰ要求解析処理を終了して、図６のステップＳ１６に戻る。
【０１１３】
図８は、図６のステップＳ１９におけるセッション情報読込処理を示すフローチャートである。
【０１１４】
まず、通信制御処理部１５６は、通信部１５８を介して、ＳＩＰサーバ１３０よりセッション情報を取得する（Ｓ５０）。なお、取得したセッション情報については、通信情報記憶領域１５３に記憶する。
【０１１５】
次に、通信制御処理部１５６は、計数テーブル１５２ａの通話欄１５２ｅの内容をクリア［Ｃｏｍ（ＪＪ）＝０］する（Ｓ５１）
次に、通信制御処理部１５６は、ステップＳ５０で取得したセッション情報に含まれている通話中の無線端末１１０のうち、未確認のものがあるか否かを検索する（Ｓ５２）。
【０１１６】
そして、通信制御処理部１５６は、未確認のものがない場合には、処理を終了して、図６のステップＳ１９に戻る。
【０１１７】
一方、通信制御処理部１５６は、未確認のものがある場合には、未確認の無線端末１１０のＩＰアドレスを一つ読み出し、ＩＰＡＤとする（Ｓ５３）。
【０１１８】
次に、通信制御処理部１５６は、ＪＪの値を初期化して、「１」を設定する（Ｓ５４）。
【０１１９】
次に、通信制御処理部１５６は、計数テーブル１５２ａのＩＰアドレス欄１５２ｄに格納されているＡＩＰ（ＪＪ）と、ＩＰＡＤと、の一致を検査し（Ｓ５５）、一致する場合には（Ｓ５５でＹＥＳ）、ステップＳ５６に進み、一致しない場合には（ステップＳ５５でＮＯ）、ステップＳ５７に進む。
【０１２０】
そして、ステップＳ５６では、通信制御処理部１５６は、ＣＯＭ（ＪＪ）の値に「１」を設定し、ステップＳ５２に戻り処理を繰り返す。
【０１２１】
一方、ステップＳ５７では、通信制御処理部１５６は、ＪＪの値に「１」をインクリメントして、ＪＪの値と、無線端末１１０の総数Ｘと、を比較する（Ｓ５８）。
【０１２２】
そして、通信制御処理部１５６は、ＪＪの値がＸ以下の場合には（ステップＳ５８でＮＯ）、ステップＳ５５に戻り処理を繰り返し、ＪＪの値がＸよりも大きい場合には（ステップＳ５８でＹＥＳ）、ステップＳ５２に戻り処理を繰り返す。
【０１２３】
図９及び図１０は、図６のステップＳ２１における帰属検査処理を示すフローチャートである。ここで、図９及び図１０は、識別番号ＭのＡＰ１２０に帰属している無線端末１１０の通信状態や同時通話数を検査するフローである。
【０１２４】
まず、通信制御処理部１５６は、通信部１５８を介して、識別番号ＭのＡＰ１２０から帰属情報を取得する（Ｓ６０）。
【０１２５】
次に、通信制御処理部１５６は、計数テーブル１５２ａの帰属欄１５２ｆをクリア［ＴＦＬＡＧ（ＪＪ）＝０］する（Ｓ６１）。
【０１２６】
次に、通信制御処理部１５６は、ステップＳ６０で取得した帰属情報に含まれている無線端末１１０のうち、未確認の無線端末１１０があるか否かを検索する（Ｓ６２）。そして、未確認の無線端末１１０がある場合には（ステップＳ６２でＹＥＳ）、ステップＳ６３に進み、未確認の無線端末１１０がない場合には（ステップＳ６２でＮＯ）、ステップＳ６９に進む。
【０１２７】
ステップＳ６３では、通信制御処理部１５６は、未確認の無線端末１１０のうち、一の無線端末１１０のＭＡＣアドレスを読み出し、ＭＡＣＡＤとする。
【０１２８】
次に、通信制御処理部１５６は、ＪＪの値を初期化し、「１」を設定する（Ｓ６４）。
【０１２９】
そして、通信制御処理部１５６は、計数テーブル１５２ａにおけるＭＡＣアドレス欄１５２ｃに格納されているＡＭＡＣ（ＪＪ）と、ＭＡＣＡＤと、を比較し（Ｓ６５）、これらが一致する場合には（ステップＳ６５でＹＥＳ）、ステップＳ６６に進み、これらが一致しない場合には（ステップＳ６５でＮＯ）、ステップＳ６７に進む。
【０１３０】
ステップＳ６６では、通信制御処理部１５６は、計数テーブル１５２ａの帰属欄１５２ｆにおいて、ＴＦＬＡＧ（ＪＪ）に対応する行の値を「１」に設定し、ステップＳ６２に戻り処理を繰り返す。
【０１３１】
一方、ステップＳ６７では、通信制御処理部１５６は、ＪＪの値に「１」をインクリメントして、ＪＪの値と、無線端末１１０の総数Ｘと、を比較する（Ｓ６８）。
【０１３２】
そして、通信制御処理部１５６は、ＪＪの値がＸ以下の場合には（ステップＳ６８でＮＯ）、ステップＳ６５に戻り処理を繰り返し、ＪＪの値がＸよりも大きい場合には（ステップＳ６８でＹＥＳ）、ステップＳ６２に戻り処理を繰り返す。
【０１３３】
そして、ステップＳ６９では、通信制御処理部１５６は、ＪＪの値及び同時通話数を計数する値ｎを初期化して、ＪＪ＝０、ｎ＝０とする。
【０１３４】
次に、通信制御処理部１５６は、計数テーブル１５２ａの帰属欄１５２ｆにおいて、ＴＦＬＡＧ（ＪＪ）の値が「１」であるか否かを確認する（Ｓ７０）。そして、ＴＦＬＡＧ（ＪＪ）の値が「１」でない場合には（ステップＳ７０でＮＯ）、すなわち帰属していない場合には、ステップＳ７１に進み、ＴＦＬＡＧ（ＪＪ）の値が「１」である場合には（ステップＳ７０でＹＥＳ）、すなわち帰属している場合には、ステップＳ７２に進む。
【０１３５】
そして、ステップＳ７１では、通信制御処理部１５６は、計数テーブル１５２ａの通話状況欄１５２ｇのうち、識別番号ＭのＡＰ１２０の列の無線端末番号ＪＪの行［ＴＳＴＡＴ（Ｍ，ＪＪ）］に、「０」を格納して、ステップＳ７５に進む。
【０１３６】
一方、ステップＳ７２では、通信制御処理部１５６は、計数テーブル１５２ａの通話欄１５２ｅにおいて、ＣＯＭ（ＪＪ）の値が「１」であるか否かを確認する。そして、ＣＯＭ（ＪＪ）の値が「１」でない場合には（ステップＳ７２でＮＯ）、すなわち通話中でない場合には、ステップＳ７３に進み、ＣＯＭ（ＪＪ）の値が「１」である場合には（ステップＳ７２でＹＥＳ）、すなわち通話中である場合には、ステップＳ７４に進む。
【０１３７】
そして、ステップＳ７３では、通信制御処理部１５６は、計数テーブル１５２ａの通話状況欄１５２ｇのうち、識別番号ＭのＡＰ１２０の列の無線端末番号ＪＪの行［ＴＳＴＡＴ（Ｍ，ＪＪ）］に、「１」を格納して、ステップＳ７５に進む。
【０１３８】
一方、ステップＳ７４では、通信制御処理部１５６は、識別番号ＭのＡＰ１２０の列の無線端末番号ＪＪの行［ＴＳＴＡＴ（Ｍ，ＪＪ）］の値に「１」をインクリメントし、また、同時通話数ｎの値に「１」をインクリメントして、ステップＳ７５に進む。
【０１３９】
次に、ステップＳ７５では、通信制御処理部１５６は、ＪＪの値に「１」をインクリメントして、ＪＪの値と、無線端末１１０の総数Ｘと、を比較する（Ｓ７６）。
【０１４０】
そして、通信制御処理部１５６は、ＪＪの値がＸ以下の場合には（ステップＳ７６でＮＯ）、ステップＳ７０に戻り処理を繰り返し、ＪＪの値がＸよりも大きい場合には（ステップＳ７６でＹＥＳ）、図１０のステップＳ７７に進む。
【０１４１】
図１０のステップＳ７７では、通信制御処理部１５６は、予め定めたしきい値Ｎとｎと、を比較し、ｎがＮより大きい場合はステップＳ７８に進み、ｎがＮ以下の場合はステップＳ７９に進む。
【０１４２】
ステップＳ７８では、通信制御処理部１５６は、識別番号ＭのＡＰ１２０に帰属する無線端末１１０の同時通話数ｎをＮｕｍ（Ｍ）に格納し、帰属検査処理を終了して、図６のステップＳ２１に戻る。
【０１４３】
一方、ステップＳ７９では、通信制御処理部１５６は、ＪＪの値を再び初期化して、「１」を設定する。
【０１４４】
次に、通信制御処理部１５６は、ＴＳＴＡＴの最小値としてＴＳＴＡＴＭＩＮ＝１００００００００(任意の大きな数)とする（Ｓ８０）。
【０１４５】
次に、通信制御処理部１５６は、計数テーブル１５２ａの通話状況欄１５２ｇに格納されているＴＳＴＡＴ（Ｍ，ＪＪ）の値が、「１」よりも大きく、かつ、ＴＳＴＡＴＭＩＮよりも小さいか否かを確認する（ステップＳ８１）。そして、ステップＳ８１の条件を満たす場合には（ステップＳ８１でＹＥＳ）、通話中であるためステップＳ８２に進み、ステップＳ８１の条件を満たさない場合には（ステップＳ８１でＮＯ）、ステップＳ８８４に進む。
【０１４６】
ステップＳ８２では、通信制御処理部１５６は、ＪＪの値を変数Ｊに格納する。そして、通信制御処理部１５６は、新たな最小値ＴＳＴＡＴＭＩＮをＴＳＴＡＴ（Ｍ，ＪＪ）とする（Ｓ８３）。
【０１４７】
そして、ステップＳ８４では、通信制御処理部１５６は、ＪＪの値に「１」をインクリメントする。
【０１４８】
次に、通信制御処理部１５６は、ＪＪの値と、無線端末１１０の総数Ｘと、を比較する（Ｓ８５）。
【０１４９】
そして、通信制御処理部１５６は、ＪＪの値がＸ以下の場合には（ステップＳ８５でＮＯ）、ステップＳ８１に戻り処理を繰り返し、ＪＪの値がＸよりも大きい場合には（ステップＳ８５でＹＥＳ）、ステップＳ８６に進む。
【０１５０】
ステップＳ８６では、通信制御処理部１５６は、変数Ｊで特定されるＴＳＴＡＴ値が最も小さい無線端末１１０、すなわち最も少ない通話時間の無線端末１１０宛にＳＩＰプロトコルにしたがってＢＹＥを送信することで（Ｓ８６）、通話を強制的に終了させる。
【０１５１】
そして、通信制御処理部１５６は、変数Ｊで特定される無線端末１１０の通話は終了するので、計数テーブル１５２ａの通話状況欄１５２ｇのＴＳＴＡＴ（Ｍ，Ｊ）の値を帰属しているが通話していないとして「１」に設定し（Ｓ８８）、同時通話数ｎから「１」をデクリメントして（Ｓ８８）、ステップＳ７７に戻って処理を繰り返す。
【０１５２】
図１１は、図６におけるステップＳ１４の発着呼制限処理を示すフローチャートである。
【０１５３】
まず、通信制御処理部１５６は、図６のステップＳ１２で受信したパケットのＩＰヘッダ領域から、無線端末１１０のＩＰアドレスを取得し、取得したＩＰアドレスをＩＰＡＤとする（Ｓ９０）。
【０１５４】
次に、通信制御処理部１５６は、ＪＪの値を初期化し、「１」を設定する（Ｓ９１）。
【０１５５】
次に、通信制御処理部１５６は、計数テーブル１５２ａのＩＰアドレス欄１５２ｄに格納されているＡＩＰ（ＪＪ）と、ＩＰＡＤと、を比較し（Ｓ９２）、一致しない場合には（ステップＳ９２でＮＯ）、ステップＳ９３に進み、一致する場合には（ステップＳ９２でＹＥＳ）、ステップＳ９５に進む。
【０１５６】
そして、ステップＳ９３では、通信制御処理部１５６は、ＪＪの値に「１」をインクリメントし、さらに、通信制御処理部１５６は、ＪＪの値と、無線端末１１０の総数Ｘと、を比較し（Ｓ９４）、ＪＪの値がＸ以下の場合には（ステップＳ９４でＮＯ）、ステップＳ９１に戻り処理を繰り返し、ＪＪの値がＸよりも大きい場合には（ステップＳ９４でＹＥＳ）、ステップＳ１０１に進む。
【０１５７】
ステップＳ９５では、通信制御処理部１５６は、ＡＰ１２０の識別番号Ｍを初期化して、「１」を設定する。
【０１５８】
次に、通信制御処理部１５６は、係数テーブル１５２ａの通話状況欄１５２ｇに格納されているＴＳＴＡＴ（Ｍ，ＪＪ）を０と比較し（Ｓ９６）、「０」以下の場合には、ステップＳ９７に進み、「０」より大きい場合は、Ｍで識別されるＡＰ１２０に帰属していると判断してＳ９９に進む。
【０１５９】
ステップＳ９７では、通信制御処理部１５６は、Ｍの値に「１」をインクリメントする。
【０１６０】
そして、通信制御処理部１５６は、ＡＰ１２０の総数であるＹと、Ｍの値と、を比較して（Ｓ９８）、ＭがＹ以下である場合には、ステップＳ９６に戻り処理を繰り返し、ＭがＹよりも大きい場合には、ステップＳ１０１に進む。
【０１６１】
ステップＳ９９では、通信制御処理部１５６は、Ｍで特定されるＡＰ１２０の同時通話数Ｎｕｍ（Ｍ）がしきい値であるＮ−２より大きく、かつ、計数テーブル１５２ＡＰの通話状況欄１５２ｇに格納されているＴＳＴＡＴ（Ｍ，ＪＪ）の値がＴＳＴＡＴ（Ｍ，ＪＪ）＝１であるか否かを確認する。
【０１６２】
そして、このような条件を満たしていない場合（ステップＳ９９でＮＯ）には、すなわちＪＪ番目の無線端末１１０は帰属しているが通話中ではない場合は、ステップＳ１００に進み、このような条件を満たしている場合（ステップＳ９９でＹＥＳ）には、すなわち帰属して通話中の場合には、ステップＳ１０１に進む。
【０１６３】
ステップＳ１００では、通信制御処理部１５６は、同時通話数がしきい値Ｎ−２より大きく、かつ、未だに通話していない無線端末１１０からの発着呼要求であると判断して該パケットを廃棄して、発着呼を制限する。
【０１６４】
一方、ステップＳ１０１では、通信制御処理部１５６は、通常と同様にパケットを転送し、発着呼を制限しない。
【０１６５】
以上に記載したフローチャートで示した処理を、以下では、シーケンス図を用いて説明する。
【０１６６】
図１２は、ＡＰ１２０に帰属していて通話中の無線端末１１０の数が予め定めたしきい値（Ｎ）よりも大きい場合に、新規の発呼を禁止する処理を示すシーケンス図である。
【０１６７】
まず、無線端末１１０は、ＡＰ１２０に対して無線接続を要求する（Ｓ１０００）。これは物理的にＡＰに対して帰属することを要求するものである。
【０１６８】
次に、ＡＰ１２０の帰属情報管理部１２４は、無線接続を要求する無線端末１１０が予め定められた認証手続により正当なものであると判定すると無線接続を許可する（Ｓ１００１）。この際、帰属情報管理部１２４は、帰属情報記憶領域１２６に記憶されている帰属情報に、当該無線端末１１０のＭＡＣアドレスを格納する。
【０１６９】
次に、無線端末１１０は、ＤＨＣＰサーバ１４０に対してＤＨＣＰに応じたＤＨＣＰ発見パケットをブロードキャストで送信する（Ｓ１００２）。
【０１７０】
このＤＨＣＰ発見パケットを受信したＤＨＣＰサーバ１４０は、無線端末１１０に対して、ＩＰアドレスを割当てるためのＤＨＣＰ提供パケットを返信する（Ｓ１００３）。
【０１７１】
そして、無線端末１１０は、今回割当てられたＩＰアドレスが使用可能であるかを確認するためにブロードキャストアドレスにて、今回割当てられたＩＰアドレスと自身のＭＡＣアドレスを含むＤＨＣＰ要求パケットを送出する（Ｓ１００４）。
【０１７２】
このようなＤＨＣＰ要求パケットを通信制御装置１５０が受信することにより、通信制御装置１５０の通信制御処理部１５６は、図７に示すＤＨＣＰ要求解析処理を行う（Ｓ１００５）。
【０１７３】
また、ＤＨＣＰサーバ１４０は、今回割当てられたIPアドレスが正しい場合はＤＨＣＰ要求パケットに対してＤＨＣＰ確認応答パケットを返信する（Ｓ１００６）。このＤＨＣＰ確認応答パケットを受信することで、無線端末１１０は、今回割当てられたＩＰアドレスの使用を開始する。
【０１７４】
次に、無線端末１１０は、通信制御装置１５０に対してＲＥＧＩＳＴＥＲメッセージを送信する（Ｓ１００７）。このようなメッセージを受信した通信制御装置１５０の全体制御部１５５は、宛先をＳＩＰサーバ１３０に変更して、ＳＩＰサーバ１３０に転送する（Ｓ１００８）。ＳＩＰサーバ１３０では、無線端末１１０のＳＩＰＩＤやＩＰアドレス等が登録情報記憶領域１３２に登録される。
【０１７５】
そして、ＳＩＰサーバ１３０はＲＥＧＩＳＴＥＲメッセージを送信した無線端末１１０が正当な端末と判定すると応答メッセージである２００ＯＫメッセージを通信制御装置１５０に送信し、通信制御装置１５０の全体制御部は、宛先及び送信先を変更することで当該メッセージを無線端末１１０に転送する（Ｓ１０１０）。
【０１７６】
次に、無線端末１１０は、相手先であるＳＩＰ端末１９０と音声通信を行うために、ＳＩＰＩＤを添付したＩＮＶＩＴＥメッセージを通信制御装置１５０に送信する（Ｓ１０１１）。
【０１７７】
このようなＩＮＶＩＴＥメッセージを受信した通信制御装置１５０は、図１１に示す発着呼制限処理を行い、当該ＩＮＶＩＴＥメッセージを中継したＡＰ１２０に帰属していて通話中の無線端末１１０の数を検査し、それが予め定めた閾値以上の場合に、当該ＩＮＶＩＴＥメッセージを廃棄する（Ｓ１０１２）。
【０１７８】
この際、通信制御装置１５０は、無線端末１１０のユーザの心理的な負担を軽減するために、無線端末１１０に対しては例えば話中音を送信し（Ｓ１０１３）、相手先であるＳＩＰ端末１９０が話中であるために発呼できないと通知しても良い。
【０１７９】
そして、相手端末が話中等と通知されたユーザが、無線端末１１０の終了キーなどを押下して発呼を停止するとＣＡＮＣＥＬメッセージが通信制御装置１５０に送信され（Ｓ１０１４）、通信制御装置１５０が２００ＯＫメッセージを応答することで（Ｓ１０１５）、話中音の送出を停止する。
【０１８０】
図１３は、ＡＰ１２０に帰属していて通話中の無線端末１１０の数が予め定めたしきい値（Ｎ−２）以上の場合に、新規の着呼を禁止する処理を示すシーケンス図である。
【０１８１】
ここで、ステップＳ１０２０〜ステップＳ１０３０までの処理は、図１２のシーケンス図におけるステップＳ１０００〜ステップＳ１０１０までの処理と同様であるので、説明を省略する。
【０１８２】
音声通信の相手先であるＳＩＰ端末１９０は、無線端末１１０と通信を行うために、通信制御装置１５０にＩＮＶＩＴＥメッセージを送信する（Ｓ１０３１）。
【０１８３】
このようなＩＮＶＩＴＥメッセージを受信した通信制御装置１５０は、図１１に示す発着呼制限処理を行い、当該ＩＮＶＩＴＥメッセージで特定される通信の相手先である無線端末１１０が帰属しているＡＰ１１０において、通話中の無線端末１１０の数を検査し、それが予め定めたしきい値（Ｎ−２）よりも大きい場合に、当該ＩＮＶＩＴＥメッセージを廃棄する（Ｓ１０３２）。
【０１８４】
この場合、無線端末１１０は着呼していることを認識しないので、通信制御装置１５０は、話中音や呼出し音などは送出しない。
【０１８５】
また、ＳＩＰ端末１９０は、ＩＮＶＩＴＥメッセージに対する応答がないので、ＣＡＮＣＥＬメッセージ等を送信することで（Ｓ１０３３）、通信をキャンセルする。
【０１８６】
図１４は、ＡＰ１２０Ａで正常に通話中の無線端末１１０がハンドオーバによりＡＰ１２０Ｂに新たに帰属した際に、ＡＰ１２０Ｂにおいて過負荷となり、当該無線端末１１０の通話を強制的に切断する処理を示すシーケンス図である。
【０１８７】
ここで、ステップＳ１０４０〜ステップＳ１０５０までの処理は、図１２のシーケンス図におけるステップＳ１０００〜ステップＳ１０１０までの処理と同様であるので、説明を省略する。
【０１８８】
ＳＩＰサーバ１３０への登録が完了した無線端末１１０は、相手先であるＳＩＰ端末１９０と音声通信を行うために、通信制御装置１５０にＩＮＶＩＴＥメッセージを送信する（Ｓ１０５１）。
【０１８９】
このようなＩＮＶＩＴＥメッセージを受信した通信制御装置１５０の全体制御部１５５は、宛先をＳＩＰサーバ１３０に変更して、当該ＩＮＶＩＴＥメッセージをＳＩＰサーバ１３０に転送する（Ｓ１０５２）。
【０１９０】
そして、ＳＩＰサーバ１３０は、登録情報記憶領域１３２に記憶されている登録情報を参照して、相手先のＳＩＰ端末１９０のＳＩＰＩＤから当該ＳＩＰ端末１９０のＩＰアドレスを検出し、当該ＩＰアドレスを持つＳＩＰ端末１９０に、通信制御装置１５０を介して（通信制御装置１５０で宛先及び送信元を変更して）、ＳＩＰ端末１９０に呼出し音を送出する（Ｓ１０５３）。また、同時に無線端末１１０に対しては、通信制御装置１５０を介して、ＴＲＹＩＮＧ１００を応答する（Ｓ１０５４）。
【０１９１】
次に、相手先であるＳＩＰ端末１９０は、ＲＩＮＧＩＮＧ１８０メッセージや呼出信号を無線端末１１０に送信する（Ｓ１０５５、Ｓ１０５６）。
【０１９２】
そして、相手先であるＳＩＰ端末１９０でユーザが受話器を外すなどの応答を行うと、ＳＩＰ端末１９０から２００ＯＫメッセージが通知され（Ｓ１０５７）、双方向で音声信号が送受信され、通話が行われる（Ｓ１０５８）。
【０１９３】
次に、無線端末１１０の位置が変位されると、ハンドオーバによりＡＰ１２０ＡからＡＰ１２０Ｂに無線端末１１０の帰属が変わる（Ｓ１０５９）。
【０１９４】
そして、特定の周期で、通信制御装置１５０は、図９及び図１０に示す帰属検査処理を行い、各ＡＰ１２０に帰属して通話している無線端末１１０の数を計数し、計数した数が予め決められたしきい値（Ｎ）よりも大きい場合は（Ｓ１０６０）、最も近い時点でハンドオーバにより帰属を切替えた無線端末１１０と、その音声通信の相手先であるＳＩＰ端末１９０と、に対して通信を強制的に切断するためのＢＹＥメッセージを通信制御装置１５０の通信制御処理部１５６は送信する（Ｓ１０６１、Ｓ１０６２）。
【０１９５】
そして、ＢＹＥメッセージを受信した無線端末１１０とＳＩＰ端末１９０は各々相手側から切断されたと判断して２００ＯＫメッセージを応答し、通信が切断される（Ｓ１０６３、Ｓ１０６４）。
【０１９６】
以上のように、本実施形態を構成したので、通信制御装置１５０において、ＳＩＰサーバ１３０及びＡＰ１２０から必要な情報を取得することで、各々のＡＰ１２０毎に通話中の無線端末１１０の数を計数することができ、計数した数に応じて、ＡＰ１２０毎に新規及び既存の通信を制限することができるようになる。
【０１９７】
次に、第二の実施形態について説明する。
【０１９８】
第一の実施形態では、図１４に示すように、ハンドオーバした無線端末１１０に対して、何らの事前警告無しに強制的に切断するようにしているので、無線端末１１０のユーザには違和感を生ずる場合も有る。そこで、本実施形態では、通信制御装置２５０の通信制御処理部１５６は、過負荷を検知した場合に、事前に警告音を無線端末１１０に送信し、過負荷の状態が予め定めた一定時間以上継続した場合のみ、通信を強制的に切断するようにする。以下、図１５を用いて説明する。
【０１９９】
図１５は、ＡＰ１２０Ａで正常に通話中の無線端末１１０がハンドオーバによりＡＰ１２０Ｂに新たに帰属した際に、ＡＰ１２０Ｂにおいて過負荷となり、当該無線端末１１０の通話を強制的に切断する場合のシーケンス図である。
【０２００】
ここで、ステップＳ１０７０〜ステップＳ１０９０までの処理は、図１４のシーケンス図におけるステップＳ１０４０〜ステップＳ１０６０までの処理と同様であるので、説明を省略する。
【０２０１】
本実施形態における通信制御装置２５０は、ステップＳ１０９０において図９及び図１０に示す帰属検査処理を行い、各ＡＰ１２０に帰属して通話している無線端末１１０の数を計数し、計数した数が予め決められたしきい値（Ｎ）よりも大きいと判断した場合には、通信制御装置２５０の通信制御処理部は、ＲＥＩＮＶＩＴＥメッセージを無線端末１１０宛に送出して（Ｓ１０９１）、接続先を通信制御装置１５０に変更させて、通信制御装置１５０から無線端末１１０に予め定められた警告音を送信し（Ｓ１０９２、Ｓ１０９４）、無線端末１１０において音声として出力させ、無線端末１１０のユーザに他のＡＰ１２０の通信範囲に移動して、ハンドオーバするように促す。
【０２０２】
なお、この場合でも、無線端末１１０からは、音声信号を送出することができる（Ｓ１０９３、Ｓ１０９５）。
【０２０３】
そして、無線端末１１０の位置が変位されて、他のＡＰ１２０Ａにハンドオーバした場合には、ＡＰ１２０Ｂの過負荷状態が解消されたので、再びＲＥＩＮＶＩＴＥメッセージを送信することで（Ｓ１０９６）、元の通話先であるＳＩＰ端末１９０との相互通信を復旧させる（Ｓ１０９７）。
【０２０４】
なお、ＲＥＩＮＶＩＴＥ命令は送受信別々に設定されるので、相手先であるＳＩＰ端末１９０から当該無線端末１１０宛の音声信号は警告信号に置換し、当該無線端末１１０からＳＩＰ端末１９０宛の音声信号はそのまま伝送しても良い。
【０２０５】
一方、図１６に示すように、警告音を送出してから予め定めた一定時間経過した後も、無線端末１１０が他のＡＰ１２０にハンドオーバしない場合は、最も近い時点でハンドオーバにより帰属を切替えた無線端末１１０と、その音声通信の相手先であるＳＩＰ端末１９０と、に対して通信を強制的に切断するためのＢＹＥメッセージを通信制御装置２５０の通信制御処理部１５６は送信する（Ｓ１１２４、Ｓ１１２５）。
【０２０６】
そして、ＢＹＥメッセージを受信した無線端末１１０とＳＩＰ端末１９０は各々相手側から切断されたと判断して２００ＯＫメッセージを応答し、通信が切断される（Ｓ１１２６、Ｓ１１２７）。
【０２０７】
なお、警告音の生成方法としては、以下も考えられる。
【０２０８】
以上のようなＢＹＥメッセージを送信することで、強制的に切断する前に、切断したい無線端末１１０宛に音声信号を擬似的に伝送し、伝送路の遅延揺らぎにより音声信号の到着時間の変動を平滑化するための受信バッファをオーバフローさせて無線端末１１０のユーザに音切れを聴取させ、当該ユーザに他のＡＰ１２０の方向に移動させてハンドオーバを促すようにすることも可能である。
【０２０９】
また、ＢＹＥメッセージを送信することで、強制的に切断する前に、相手先であるＳＩＰ端末１９０と同一のＩＰアドレスを用いて無線端末１１０宛に保留命令［ＩＮＶＩＴＥ(保留)］を送出し、一定時間後に保留を解除する。すると当該無線端末１１０は相手からの音声が断続するので、異常状態を感じたユーザに移動を促す効果が有る。
【０２１０】
図１７は、本発明の第三の実施形態である通信システム３００の概略図である。
【０２１１】
図示するように、通信システム３００は、無線端末１１０と、ＡＰ１２０と、ＳＩＰサーバ１３０と、ＤＨＣＰサーバ１４０と、通信制御装置１５０と、アドレス取得装置３９０と、を備える。
【０２１２】
そして、無線端末１００及びＡＰ１２０は、電磁波等の無線を介して相互に情報の送受信を行うことができるようにされており、ＡＰ１２０、ＳＩＰサーバ１３０、ＤＨＣＰサーバ１４０及び通信制御装置１５０は、第一のＬＡＮ３８０を介して相互に情報の送受信を行うことができるようにされており、ＡＰ１２０、ＤＨＣＰサーバ１４０及びアドレス取得装置３９０は、第二のＬＡＮ３８１を介して相互に情報の送受信を行うことができるようにされている。そして、第一のＬＡＮ３８０と、第二のＬＡＮ３８１と、は、ルータ７０を介して相互に情報の送受信を行うことができるようにされている。
【０２１３】
ここで、ＤＨＣＰのプロトコルにおいては、ＤＨＣＰサーバ１４０から割当てられたＩＰアドレスがネットワーク内の他の端末で使用していないかを確認するためのＤＨＣＰ要求パケットは、イーサ網の国際標準規格であるＩＥＥＥ８０２．３に従いブロードキャストモードで送出されるのでルータ１７０を介して他のネットワークに接続されている装置に送信することはできない。
【０２１４】
このようにＤＨＣＰ要求パケットがルータ１７０を超えられない問題を解決するために、本実施形態においては、通信制御装置１５０が設けられていないネットワークである第二のＬＡＮ３８１にアドレス取得装置３９０が設けられている。
【０２１５】
図１８は、アドレス取得装置３９０の概略図である。
【０２１６】
図示するように、アドレス取得装置３９０は、記憶部３９１と、制御部３９３と、通信部３９５と、を備える。
【０２１７】
記憶部３９１は、アドレス情報記憶領域３９２を備える。
【０２１８】
アドレス情報記憶領域３９２には、後述する通信制御部３９４で一つのＤＨＣＰ要求パケットから取得されたＩＰアドレスとＭＡＣアドレスとが対応付けられたアドレス情報が記憶される。
【０２１９】
制御部３９３は、通信制御部３９４を備える。
【０２２０】
通信制御部３９４は、第二のＬＡＮ３８１においてブロードキャストされるＤＨＣＰ要求を傍受し、そのイーサネットヘッダ領域から無線端末１１０のマックＭＡＣアドレスを取得し、また、そのＩＰヘッダ領域から無線端末１１０のＩＰアドレスを取得して、これらを対応付けて、アドレス情報としてアドレス情報記憶領域３９２に記憶する。
【０２２１】
そして、通信制御部３９４は、周期的又はＤＨＣＰ要求を受信する毎に、アドレス情報を通信部３９５を介して、通信制御装置１５３に送信する処理を行う。
【０２２２】
通信部３９５は、ネットワークを介して情報の送受信を行う。
【０２２３】
以上のようなアドレス取得装置３９０を備えることにより、本実施形態では、無線端末１１０から送出されたＤＨＣＰ要求パケットに含まれるＩＰアドレス及びＭＡＣアドレスの組合せを取得して、他のネットワークに接続されている通信制御装置１５０に送信することができるため、第一の実施形態と同様の処理を行うことができるようになる。
【０２２４】
なお、以上のような態様に限定されず、例えば、ルータ１７０にＤＨＣＰリレーエージェント機能を備えておくことで、ＤＨＣＰ要求パケットを通信制御装置１５０に転送するようにすることも可能である。
【０２２５】
また、以上に記載した実施形態においては、通信制御装置１５０と、ＳＩＰサーバ１３０と、別々の装置として構成したが、ＳＩＰサーバ１３０において通信制御装置１５０が行っている機能を実現できるようにすることも可能である。
【０２２６】
例えば、図１９は、ＳＩＰサーバ４３０の概略図である。
【０２２７】
図示するように、ＳＩＰサーバ４３０は、記憶部４３１と、制御部４３４と、通信部４３７と、入力部４４１と、を備える。
【０２２８】
ここで、例えば、記憶部４３１に、通信制御装置１５０の記憶部１５１に備えられている計数テーブル記憶領域１５２及び通信情報記憶領域と同様の情報を記憶する計数テーブル記憶領域４３８及び通信情報記憶領域４３９を備えるようにし、また、制御部４３４に、通信制御装置１５０の制御部１５４に備えられている通信制御処理部１５６と同様の処理を行う通信制御処理部４４０を備えるようにすることで、ＳＩＰサーバ４３０において、通信制御装置１５０と同様の処理を行うことができるようになる。
【０２２９】
なお、ＳＩＰサーバ４３０に入力部４４１を備えておくことで、計数テーブル１５２に格納する情報の入力を受け付けることができるようになる。
【０２３０】
また、以上に記載した実施形態においては、ＤＨＣＰ要求パケットからＩＰアドレス及びＭＡＣアドレスの組合せを取得することで、ＳＩＰサーバ１３０から得られる情報と、ＡＰ１２０から得られる情報を統合するようにしているが、このような態様に限定されず、例えば、各々の無線端末１１０毎に、固定的にＩＰアドレスが割り振られているような場合には、計数テーブル１５２のＩＰアドレス欄１５２ｄにも予め入力部１５７を用いて必要な情報を格納しておくようにすることで、以上に記載したような処理が可能となる。
【０２３１】
また、例えば、ＳＩＰサーバ１３０が二重化されているような場合には、各々のＳＩＰサーバ１３０毎に通信制御装置１５０を設けておくことが望ましい。
【図面の簡単な説明】
【０２３２】
【図１】第一の実施形態である通信システムの概略図。
【図２】ＡＰの概略図。
【図３】ＳＩＰサーバの概略図。
【図４】通信制御装置の概略図。
【図５】計数テーブルの概略図。
【図６】通信制御装置における通信制御処理を示すフローチャート。
【図７】ＤＨＣＰ要求解析処理を示すフローチャート。
【図８】セッション情報読込処理を示すフローチャート。
【図９】帰属検査処理を示すフローチャート。
【図１０】帰属検査処理を示すフローチャート。
【図１１】発着呼制限処理を示すフローチャート。
【図１２】新規の発呼を禁止する処理を示すシーケンス図。
【図１３】新規の着呼を禁止する処理を示すシーケンス図。
【図１４】無線端末の通話を強制的に切断する処理を示すシーケンス図。
【図１５】無線端末の通話を強制的に切断する処理を示すシーケンス図。
【図１６】無線端末の通話を強制的に切断する処理を示すシーケンス図。
【図１７】第三の実施形態である通信システムの概略図。
【図１８】アドレス取得装置の概略図。
【図１９】ＳＩＰサーバの概略図。
【符号の説明】
【０２３３】
１００、３００  通信システム
１１０  無線端末
１２０  ＡＰ
１２２  制御部
１２３  通信処理部
１２４  帰属情報管理部
１２５  記憶部
１２６  帰属情報記憶領域
１３０、４３０  ＳＩＰサーバ
１３１、４３１  記憶部
１３２、４３２  登録情報記憶領域
１３３、４３３  セッション情報記憶領域
１３４、４３４  制御部
１３５、４３５  通信制御部
１３６、４３６  呼制御部
１３７、４３７  通信部
４３８  計数テーブル記憶領域
４３９  通信情報記憶領域
４４０  通信制御処理部
４４１  入力部
１４０  ＤＨＣＰサーバ
１５０、２５０  通信制御装置
１５１  記憶部
１５２  計数テーブル記憶領域
１５３  通信情報記憶領域
１５４  制御部
１５５  全体制御部
１５６  通信制御処理部
１５７  入力部
１５８  通信部
【図１】
0005110992.tif 000002
【図２】
0005110992.tif 000003
【図３】
0005110992.tif 000004
【図４】
0005110992.tif 000005
【図５】
0005110992.tif 000006
【図６】
0005110992.tif 000007
【図７】
0005110992.tif 000008
【図８】
0005110992.tif 000009
【図９】
0005110992.tif 000010
【図１０】
0005110992.tif 000011
【図１１】
0005110992.tif 000012
【図１２】
0005110992.tif 000013
【図１３】
0005110992.tif 000014
【図１４】
0005110992.tif 000015
【図１５】
0005110992.tif 000016
【図１６】
0005110992.tif 000017
【図１７】
0005110992.tif 000018
【図１８】
0005110992.tif 000019
【図１９】
0005110992.tif 000020